(57)【要約】【課題】遠隔操作手段に準備すべきボタンを少なく保ったままで、ユーザの入力回数をできるだけ少なくして所望の放送チャンネルに切り替えられるデジタル放送受信機の選局方法及びデジタル放送受信装置の提供。【解決手段】デジタル放送受信機１０の選局方法は、複数の放送局からデジタル放送の複数の放送媒体を介して送信される選局情報を基にして、選局可能なチャンネルを集めて幾つかのチャンネル群に分け、リモコン１００のチャンネル群切り替えボタンにより、チャンネル群の切り替えを行った後、リモコン１００の通常のチャンネル切り替えボタンにより、チャンネル群の中から所望の１つのチャンネルを選択する選局処理を行う選局処理工程と、幾つかのチャンネル群に分割した選局情報を分類・管理する選局情報管理工程とを含んでいる。【選択図】        図１
2004297355.tif 000002
【特許請求の範囲】
【請求項１】
複数の放送局からのデジタル放送の複数の放送媒体を受信するデジタル放送受信機の選局方法であって、
前記複数の放送局から前記デジタル放送の複数の放送媒体を介して送信される選局情報を基にして、選局可能なチャンネルを集めて幾つかの群に分けて分割したチャンネル群を構成し、分割した前記幾つかのチャンネル群を順次切り替えるために先送り又は前戻りする遠隔操作手段の第１のアップダウン切り替え操作により、分割した前記幾つかのチャンネル群の切り替えを行い、前記幾つかのチャンネル群から所望の１つのチャンネル群を選択した後、選局可能なチャンネルを順次切り替えるために順送り又は逆送りする前記遠隔操作手段の第２のアップダウン切り替え操作により、選択した前記チャンネル群の中から所望の１つのチャンネルを選択する選局処理を行う選局処理工程と、前記幾つかのチャンネル群に分割した前記選局情報を分類・管理する選局情報管理工程とを含むことを特徴とするデジタル放送受信機の選局方法。
【請求項２】
上記分割した幾つかのチャンネル群の切り替えは、上記チャンネルをアップダウンさせるための上記遠隔操作手段のチャンネル切り替えボタンに直交するように配置されたチャンネル群切り替えボタンを利用して行われる請求項１に記載のデジタル放送受信機の選局方法。
【請求項３】
幾種類か存在する上記チャンネル群の構成の分類方法を、ユーザが選択・指定可能なメニューによって表示手段の表示画面上に表示させる請求項１または２に記載のデジタル放送受信機の選局方法。
【請求項４】
上記分割した幾つかのチャンネル群の切り替え時に、該当するチャンネル群の構成の分類方法についての概要を表す文章或いは画像を上記表示手段の表示画面上に表示させる請求項１乃至３のいずれかに記載のデジタル放送受信機の選局方法。
【請求項５】
システム管理記述子の放送識別子の種類によって、放送媒体毎に上記チャンネル群を構成させる請求項１乃至４のいずれかに記載のデジタル受信機の選局方法。
【請求項６】
上記デジタル放送の複数の放送媒体から得られるチャンネルの中から同一の放送事業者及びその系列事業者から提供されるチャンネルのみを集めて上記チャンネル群として構成させる請求項１乃至４のいずれかに記載のデジタル放送受信機の選局方法。
【請求項７】
上記デジタル放送の複数の放送媒体から得られるチャンネルの現在放送中の番組の中から同一の番組ジャンル毎に上記チャンネル群を構成させる請求項１乃至４のいずれかに記載のデジタル放送受信機の選局方法。
【請求項８】
上記デジタル放送の複数の放送媒体から得られるチャンネルの中から有料チャンネルのみを集めて上記チャンネル群として構成させる請求項１乃至４のいずれかに記載のデジタル放送受信機の選局方法。
【請求項９】
上記デジタル放送の複数の放送媒体から得られる有料チャンネルの中から契約チャンネルのみを集めて上記チャンネル群として構成させる請求項８に記載のデジタル放送受信機の選局方法。
【請求項１０】
上記デジタル放送の複数の放送媒体から得られるチャンネルの中から同一の放送事業者及びその系列事業者から提供されるチャンネルのみを集めて構成した前記チャンネル群が、上記遠隔操作手段のリモコンキーの順番で切り替えられる請求項６に記載のデジタル放送受信機の選局方法。
【請求項１１】
複数の放送局からのデジタル放送の複数の放送媒体を受信するデジタル放送受信機と、前記デジタル放送受信機を遠隔操作する遠隔操作手段とからなり、前記デジタル放送受信機は、前記複数の放送局から前記デジタル放送の複数の放送媒体を介して送信される選局情報を基にして、選局可能なチャンネルを集めて幾つかの群に分けて分割したチャンネル群を構成し、分割した前記幾つかのチャンネル群を順次切り替えるために先送り又は前戻りする遠隔操作手段の第１のアップダウン切り替え操作により、分割した前記幾つかのチャンネル群の切り替えを行い、前記幾つかのチャンネル群から所望の１つのチャンネル群を選択した後、選局可能なチャンネルを順次切り替えるために順送り又は逆送りする前記遠隔操作手段の第２のアップダウン切り替え操作により、選択した前記チャンネル群の中から所望の１つのチャンネルを選択する選局処理を行う選局処理手段と、前記幾つかのチャンネル群に分割した前記選局情報を分類・管理する選局情報管理手段とを備えたことを特徴とするデジタル放送受信装置。
【発明の詳細な説明】
【０００１】
【発明の属する技術分野】
本発明は、デジタル放送受信機の選局方法及びデジタル放送受信装置に関し、特に、衛星・ケーブルデジタル・地上波デジタル放送等の複数のデジタル放送の複数の放送媒体を受信できる機能を持つデジタル放送受信機の選局方法及びデジタル放送受信装置に関するものである。
【０００２】
【従来の技術】
従来のデジタル放送受信機において、ＢＳ（Ｂｒｏａｄｃａｓｔｉｎｇ  Ｓａｔｅｌｌｉｔｅ；放送衛星）デジタル放送／広帯域ＣＳ（Ｃｏｍｍｕｎｉｃａｔｉｏｎｓ  Ｓａｔｅｌｌｉｔｅ；通信衛星）デジタル放送といった複数の放送媒体を受信できるものがある。
このようなデジタル放送受信機で、映像／音声等から構成されるチャンネルを選局するとは、これら複数の放送媒体の内のある一つの放送媒体を選択する、その放送媒体の中から所望のチャンネルを選択する、という２つの手順を指す。
【０００３】
従来、この放送媒体の切り替え手段には、特許文献１等に記載されている所望の放送サービスボタン（ＢＳ／ＣＳ１／ＣＳ２）等を使用する方法と、トグル切り替えボタン（例えば、ＢＳ→ＣＳ１→ＣＳ２→ＢＳと変化する）等を使用する方法とがあった。
【０００４】
これらの方法は、ＳＩ（Ｓｅｒｖｉｃｅ  Ｉｎｆｏｒｍａｔｉｏｎ）のＮＩＴ（Ｎｅｔｗｏｒｋ  Ｉｎｆｏｒｍａｔｉｏｎ  Ｔａｂｌｅ）に含まれるネットワーク識別子（Ｎｅｔｗｏｒｋ  ＩＤ）という情報をデジタル放送受信機中に選局情報として管理しておき、適宜参照して行われている。
【０００５】
図８は、従来のデジタル放送受信機における放送サービス切り替え状態の遷移を示す説明図である。
例えば、従来のリモコンのトグル切り替えボタンを使用する方法では、図８に示すように、放送サービス切り替えボタンを使って、ＢＳ／ＣＳ１／ＣＳ２から所望の放送サービスを選択した後で、チャンネルアップ（＋）・ダウン（−）キーで放送サービス内のチャンネルを切り替えて所望のチャンネルを選局するという操作が行われていた。
なお、図８に示す従来例では、ＣＳという同じ放送媒体を使ってＣＳ１／ＣＳ２という別々の放送サービスが行われている例を示している。
【０００６】
また、蓄積型のデジタル放送受信機においては、ジャンル情報等のチャンネル付加情報を基にジャンル分けをしながら番組単位で蓄積しておき、前記番組を再生する際の番組選択手段として、選択メニューを表示してメニューの左右キーでジャンルを選択させた後、ジャンル内の番組を選択するという方法をもっているものがある。
ただし、これは、あらかじめジャンル情報等のチャンネル付加情報を番組単位で蓄積できることやジャンル情報等のチャンネル付加情報を利用できることを前提としている。
また、番組単位でのみの分類であり、ライブ放送中のチャンネル単位での分類はなされていない。
【０００７】
【特許文献１】
特開２００２−７７７４８号公報
【０００８】
【発明が解決しようとする課題】
ところで、今後、地上波デジタル放送やブロードバンド放送等においては、前記放送サービス切り替え機能を使って切り替えるべき放送媒体数が増えていく傾向にあり、また、そのことによって、ユーザが選択できるチャンネルの数もますます増えていく傾向にあって、所望のチャンネルを選択するまでに時間がかかる傾向にある。
【０００９】
そのような状況の中、従来の放送サービス切り替え方法を利用する場合では、デジタル放送受信機が受信できる放送媒体数が増えてくると、所望の放送サービスボタンをリモコン中に多く準備する必要がある、あるいは、一つ前に視聴していた放送サービスを選択するのに何度もリモコンのトグル切り替えボタンを押す必要があるという課題がより大きな問題となってくる。
【００１０】
さらに、地上波デジタル放送においては、ネットワーク識別が各放送局に別々に割り当てられる可能性が高く、放送内に含まれるネットワーク識別数がＢＳデジタル放送や広帯域ＣＳデジタル放送と比して多くなるという放送システム上の違いがあり、従来のネットワーク識別参照による放送サービス切り替え方式は使用できない。
【００１１】
本発明は、上記のような状況に鑑みてなされたもので、複数の放送局からデジタル放送の複数の放送媒体を介して送信される選局情報を基にして、選局可能なチャンネルを集めて幾つかのチャンネル群に分けて分割し、分割した幾つかのチャンネル群の切り替えを行った後、遠隔操作手段の通常のチャンネル切り替え操作により、チャンネル群の中から所望のチャンネルを時間をかけることなく選局することができ、幾つかのチャンネル群に分割した選局情報を分類・管理することができ、従来のように所望の放送サービスボタンを遠隔操作手段に多く準備したり、あるいはユーザが一つ前に視聴していた放送媒体を選択するのに何度も遠隔操作手段のトグル切り替えボタンを押したりする必要もなく、遠隔操作手段に準備すべきボタンを少なく保ったままで、ユーザの入力回数をできるだけ少なくして、所望の放送チャンネルに確実に切り替えることが可能なデジタル放送受信機の選局方法及びデジタル放送受信装置を提供することを目的とする。
【００１２】
【課題を解決するための手段】
この発明に係るデジタル放送受信機の選局方法は、複数の放送局からのデジタル放送の複数の放送媒体を受信するデジタル放送受信機の選局方法であって、前記複数の放送局から前記デジタル放送の複数の放送媒体を介して送信される選局情報を基にして、選局可能なチャンネルを集めて幾つかのチャンネル群に分けて分割し、選局可能なチャンネルから前記チャンネル群を構成し、分割した前記幾つかのチャンネル群を順次切り替えるために先送り又は前戻りする遠隔操作手段の第１のアップダウン切り替え操作により、分割した前記幾つかのチャンネル群の切り替えを行い、前記幾つかのチャンネル群から所望の１つのチャンネル群を選択した後、選局可能なチャンネルを順次切り替えるために順送り又は逆送りする前記遠隔操作手段の第２のアップダウン切り替え操作により、選択した前記チャンネル群の中から所望の１つのチャンネルを選択する選局処理を行う選局処理工程と、前記幾つかのチャンネル群に分割した前記選局情報を分類・管理する選局情報管理工程とを含むことを特徴とするものである。
【００１３】
本発明のデジタル放送受信機の選局方法は、上記分割した幾つかのチャンネル群の切り替えが、上記チャンネルをアップダウンさせるための上記遠隔操作手段のチャンネル切り替えボタンに直交するように配置されたチャンネル群切り替えボタンを利用して行われるようになっている。
【００１４】
本発明のデジタル放送受信機の選局方法は、幾種類か存在する上記チャンネル群の構成の分類方法を、ユーザが選択・指定可能なメニューによって表示手段の表示画面上に表示させるようになっている。
【００１５】
本発明のデジタル放送受信機の選局方法は、上記分割した幾つかのチャンネル群の切り替え時に、該当するチャンネル群の構成の分類方法についての概要を表す文章或いは画像を上記表示手段の表示画面上に表示させるようになっている。
【００１６】
本発明のデジタル放送受信機の選局方法は、システム管理記述子（Ｓｙｓｔｅｍ  Ｍａｎａｇｅｍｅｎｔ  Ｄｅｓｃｒｉｐｔｏｒ）の放送識別子（ｂｒｏａｄｃａｓｔｉｎｇ  ｉｄｅｎｔｉｆｉｅｒ）の種類によって、放送媒体毎に上記チャンネル群を構成させるようになっている。
【００１７】
本発明のデジタル放送受信機の選局方法は、上記デジタル放送の複数の放送媒体から得られるチャンネルの中から同一の放送事業者及びその系列事業者から提供されるチャンネルのみを集めて上記チャンネル群として構成させるようになっている。
【００１８】
本発明のデジタル放送受信機の選局方法は、上記デジタル放送の複数の放送媒体から得られるチャンネルの現在放送中の番組の中から同一の番組ジャンル毎に上記チャンネル群を構成させるようになっている。
【００１９】
本発明のデジタル放送受信機の選局方法は、上記デジタル放送の複数の放送媒体から得られるチャンネルの中から有料チャンネルのみを集めて上記チャンネル群として構成させるようになっている。
【００２０】
本発明のデジタル放送受信機の選局方法は、上記デジタル放送の複数の放送媒体から得られる有料チャンネルの中から契約チャンネルのみを集めて上記チャンネル群として構成させるようになっている。
【００２１】
本発明のデジタル放送受信機の選局方法は、上記デジタル放送の複数の放送媒体から得られるチャンネルの中から同一の放送事業者及びその系列事業者から提供されるチャンネルのみを集めて構成した前記チャンネル群が、上記遠隔操作手段のリモコンキーの順番で切り替えられるようになっている。
【００２２】
本発明のデジタル放送受信装置は、複数の放送局からのデジタル放送の複数の放送媒体を受信するデジタル放送受信機と、前記デジタル放送受信機を遠隔操作する遠隔操作手段とからなり、前記デジタル放送受信機が、前記複数の放送局から前記デジタル放送の複数の放送媒体を介して送信される選局情報を基にして、選局可能なチャンネルを集めて幾つかのチャンネル群に分けて分割し、選局可能なチャンネルから前記チャンネル群を構成し、分割した前記幾つかのチャンネル群を順次切り替えるために先送り又は前戻りする遠隔操作手段の第１のアップダウン切り替え操作により、分割した前記幾つかのチャンネル群の切り替えを行い、前記幾つかのチャンネル群から所望の１つのチャンネル群を選択した後、選局可能なチャンネルを順次切り替えるために順送り又は逆送りする前記遠隔操作手段の第２のアップダウン切り替え操作により、選択した前記チャンネル群の中から所望の１つのチャンネルを選択する選局処理を行う選局処理手段と、前記幾つかのチャンネル群に分割した前記選局情報を分類・管理する選局情報管理手段とを備えたことを特徴とする構成を有するものである。
【００２３】
前記地上波デジタル放送の放送サービス切り替え方式に関する課題は、システム管理記述子（Ｓｙｓｔｅｍ  Ｍａｎａｇｅｍｅｎｔ  Ｄｅｓｃｒｉｐｔｏｒ）の放送識別子（ｂｒｏａｄｃａｓｔｉｎｇ  ｉｄｅｎｔｉｆｉｅｒ）をキーとして、放送媒体毎にチャンネル群を分類し、その後に所望のチャンネルを選局することで解決する。
【００２４】
また、複数の放送媒体で放送されているチャンネルを、放送事業者及びその系列事業者毎に分類してチャンネル群を構成し、前記放送事業者チャンネル群を選択して、その中から所望のチャンネルを選択することで、ユーザの入力回数を減らすといった選局方法をとることもできる。
【００２５】
【発明の実施の形態】
以下、本発明の実施形態について図面を参照しながら詳細に説明する。
図１は、本発明に係る一実施形態のデジタル放送受信装置の構成を示すブロック図である。
本発明のデジタル放送受信装置は、複数の放送局からのデジタル放送の複数の放送媒体を受信するデジタル放送受信機１０と、デジタル放送受信機１０を遠隔操作する遠隔操作手段であるリモコン１００とからなり、デジタル放送受信機１０が、複数の放送局からデジタル放送の複数の放送媒体を介して送信される選局情報を基にして、選局可能なチャンネルを集めて幾つかのチャンネル群に分けて分割し、選局可能なチャンネルからチャンネル群を構成し、分割した幾つかのチャンネル群を順次切り替えるために先送り又は前戻りするリモコン１００の第１のアップダウン切り替え操作により、分割した幾つかのチャンネル群の切り替えを行い、幾つかのチャンネル群から所望の１つのチャンネル群を選択した後、選局可能なチャンネルを順次切り替えるために順送り又は逆送りするリモコン１００の第２のアップダウン切り替え操作により、選択したチャンネル群の中から所望の１つのチャンネルを選択する選局処理を行う選局処理手段であるＭＰＵ（Ｍｉｃｒｏ  Ｐｒｏｃｅｓｓｉｎｇ  Ｕｎｉｔ）４４と、幾つかのチャンネル群に分割した選局情報を分類・管理する選局情報管理手段である選局情報管理データベース６０とを備えている。
【００２６】
本発明のデジタル放送受信機の選局方法は、複数の放送局からのデジタル放送の複数の放送媒体を受信するデジタル放送受信機における選局方法である。
本発明のデジタル放送受信機の選局方法は、複数の放送局からデジタル放送の複数の放送媒体を介して送信される選局情報を基にして、選局可能なチャンネルを集めて幾つかのチャンネル群に分割し、選局可能なチャンネルからチャンネル群を構成し、分割した幾つかのチャンネル群を順次切り替えるために先送り又は前戻りするリモコン１００の第１のアップダウン切り替え操作により、分割した幾つかのチャンネル群の切り替えを行い、幾つかのチャンネル群から所望の１つのチャンネル群を選択した後、選局可能なチャンネルを順次切り替えるために順送り又は逆送りするリモコン１００の第２のアップダウン切り替え操作により、選択したチャンネル群の中から所望の１つのチャンネルを選択する選局処理を行う選局処理工程と、幾つかのチャンネル群に分割した選局情報を分類・管理する選局情報管理工程とを含んでいる。
【００２７】
本発明による実施形態の一例を図１乃至図１０に基づいて以下に説明する。
以下の実施の形態では、特に、地上波によるデジタルテレビ放送（地上波デジタル放送）と、ＢＳ（放送衛星）を用いたＢＳデジタル放送と、東経１１０°ＣＳ（通信衛星）を用いたＣＳ１１０デジタル放送とから受信できるチャンネルから放送サービス毎にチャンネル群を構成し、前記チャンネル群の中から所望のチャンネルの選択（選局）を行う場合（図７に示す放送サービスをカテゴリとした場合）について説明する。
【００２８】
デジタル放送受信装置は、図１に示すように、デジタル放送受信機１０と、放送局からのＢＳ／ＣＳ１１０衛星デジタル放送の衛星電波を受信するＢＳ／ＣＳ１１０アンテナ２０と、放送局からの地上波デジタル放送の地上電波を受信する地上波アンテナ３０と、デジタル放送受信機１０を遠隔操作するリモコン１００とから構成されている。
【００２９】
デジタル放送受信機１０は、図１に示すように、ＢＳ／ＣＳ１１０チューナー２１、衛星復調器２２、デスクランブラ２３、デマルチプレクサ２４、ＡＶデコーダ２５、地上波チューナー３１、地上復調器３２、ＲＡＭ（Ｒａｎｄｏｍ  Ａｃｃｅｓｓ  Ｍｅｍｏｒｙ）４１、フラッシュメモリ４２、ＲＯＭ（Ｒｅａｄ  Ｏｎｌｙ  Ｍｅｍｏｒｙ）４３、ＭＰＵ（Ｍｉｃｒｏ  Ｐｒｏｃｅｓｓｉｎｇ  Ｕｎｉｔ）４４、グラフィック描画・表示処理部４５、加算器４６、モニタ４７、及びリモコン受光部４８を備えている。
ＭＰＵ４４は、デジタル放送受信機１０全体を制御するものである。
【００３０】
デジタル放送受信機１０は、ＢＳ／ＣＳ１１０アンテナ２０及び地上波アンテナ３０がＢＳ／ＣＳ１１０チューナー２１及び地上波チューナー３１にそれぞれ接続され、ＢＳ／ＣＳ１１０／地上波デジタル放送を送信する放送局からのデジタル放送の電波をＢＳ／ＣＳ１１０アンテナ２０及び地上波アンテナ３０で受信する。
ＢＳ／ＣＳ１１０アンテナ２０及び地上波アンテナ３０により受信された放送局からのデジタル放送の電波は、ＢＳ／ＣＳ１１０チューナー２１及び地上波チューナー３１にそれぞれ与えられる。
【００３１】
ＢＳ／ＣＳ１１０チューナー２１及び地上波チューナー３１は、デジタル放送の周波数等の情報を与えられることにより、所望の１つの物理チャンネルを選択する。
選択された物理チャンネルは、衛星復調器２２，地上復調器３２でそれぞれ復調され、トランスポートパケットからなる１つのトランスポートストリーム（Ｔｒａｎｓｐｏｒｔ  Ｓｔｒｅａｍ；ＴＳ）となる。
【００３２】
なお、この実施の形態の場合、デジタル放送受信機１０がＢＳ／ＣＳ１１０チューナー２１と地上波チューナー３１の２つのチューナーを持っているため、２ＴＳを同時に取得・処理することができるが、２ＴＳを１つずつ扱うことにしても本発明の要旨に関わらないため、１ＴＳを処理していく手順について述べていく。
同様に、衛星復調器２２，地上復調器３２で得られるＴＳを同じものとして扱っても本発明の要旨に関わらない。
また、ＢＳ／ＣＳ１１０／地上波デジタル放送の受信用チューナーが一体となる別の実施の形態であっても、本発明は適用可能である。
【００３３】
デスクランブラ２３は、ＴＳがスクランブルされていない場合、トランスポートパケットをそのままデマルチプレクサ２４に供給する。
また、デスクランブラ２３は、ＴＳ内のＳＤＴ（Ｓｅｒｖｉｃｅ  Ｄｅｓｃｒｉｐｔｉｏｎ  Ｔａｂｌｅ）から取得した情報より、選択したい番組やデータ（ダウンロードデータやデータ放送）にスクランブルがかかっていることがわかった場合、ＴＳからＥＣＭ（Ｅｎｔｉｔｌｅｍｅｎｔ  Ｃｏｎｔｒｏｌ  Ｍｅｓｓａｇｅ）を取得し、デスクランブルするキーを取得して、スクランブルがかかっている番組やデータをデスクランブルし、そのデータをデマルチプレクサ２４へ供給する。
【００３４】
デマルチプレクサ２４は、デスクランブラ２３から供給されたデータが、デジタルテレビ放送の映像・音声に関するものであるか、データ放送やダウンロードデータ，セクションデータに関するものであるかを判別する。
また、デマルチプレクサ２４は、デスクランブラ２３から供給されたデータがデジタルテレビ放送の映像・音声に関するものである場合、デジタルテレビ放送の映像・音声データをＡＶデコーダ２５へ供給する。
さらに、デマルチプレクサ２４は、デスクランブラ２３から供給されたデータがデータ放送やダウンロードデータ，セクションデータに関するものである場合、データ放送用データやダウンロードデータ，ＮＩＴ（Ｎｅｔｗｏｒｋ  Ｉｎｆｏｒｍａｔｉｏｎ  Ｔａｂｌｅ）等の選局情報を含むセクションデータをＭＰＵ４４を介してＲＡＭ４１へ供給する。
【００３５】
ＡＶデコーダ２５へ供給されたデジタルテレビ放送の映像・音声データは、加算器４６に供給される。
【００３６】
また、加算器４６は、ＭＰＵ４４に制御されたグラフィック描画・表示処理部４５から出力される字幕やＧＵＩ（Ｇｒａｐｈｉｃａｌ  Ｕｓｅｒ  Ｉｎｔｅｒｆａｃｅ）の表示，データ放送の表示といったグラフィックスを受ける。
加算器４６からの出力は、モニタ４７へ供給され、ユーザに提示される。
ユーザは、モニタ４７を見ながらリモコン１００を操作し、リモコン受光部４８に向かってリモコン１００からリモコン信号を送ることで、デジタル放送受信機１０を制御し、映像／音声等からなるチャンネルを視聴できる。
【００３７】
ところで、デスクランブラ２３からＲＡＭ４１へ供給されたデータ放送用データやダウンロードデータ，ＮＩＴ等の選局情報を含むセクションデータは、ＭＰＵ４４に制御されたプログラムで処理され、保存が必要な情報については、適宜フラッシュメモリ４２へ記憶される。
【００３８】
ＲＯＭ４３には、ＭＰＵ４４を動作させるのに必要なソフトウェアが保存されている。
ＲＯＭ４３に保存されているソフトウェアは、必要に応じてＭＰＵ４４を介してＲＡＭ４１へ展開され、処理が行われる。
【００３９】
本発明のデジタル放送受信機の選局方法は、分割した幾つかのチャンネル群の切り替えが、チャンネルをアップダウンさせるためのリモコン１００のチャンネル切り替えボタンであるチャンネルアップ（▲）ボタン１０１，チャンネルダウン（▼）ボタン１０２に直交するように配置されたチャンネル群切り替えボタンである先送りカテゴリボタン１０３，前戻りカテゴリボタン１０４を利用して行われるようになっている。
【００４０】
本発明のデジタル放送受信機の選局方法は、幾種類か存在するチャンネル群の構成の分類方法を、ユーザが選択・指定可能なメニューによって表示手段であるモニタ４７の表示画面４７ａ上に表示させるようになっている。
【００４１】
本発明のデジタル放送受信機の選局方法は、分割した幾つかのチャンネル群の切り替え時に、該当するチャンネル群の構成の分類方法についての概要を表す文章或いは画像をモニタ４７の表示画面４７ａ上に表示させるようになっている。
【００４２】
本発明のデジタル放送受信機の選局方法は、システム管理記述子（Ｓｙｓｔｅｍ  Ｍａｎａｇｅｍｅｎｔ  Ｄｅｓｃｒｉｐｔｏｒ）の放送識別子（ｂｒｏａｄｃａｓｔｉｎｇ  ｉｄｅｎｔｉｆｉｅｒ）の種類によって、放送媒体毎にチャンネル群を構成させるようになっている。
【００４３】
本発明のデジタル放送受信機の選局方法は、デジタル放送の複数の放送媒体から得られるチャンネルの中から同一の放送事業者及びその系列事業者から提供されるチャンネルのみを集めてチャンネル群として構成させるようになっている。
【００４４】
本発明のデジタル放送受信機の選局方法は、デジタル放送の複数の放送媒体から得られるチャンネルの現在放送中の番組の中から同一の番組ジャンル毎にチャンネル群を構成させるようになっている。
【００４５】
本発明のデジタル放送受信機の選局方法は、デジタル放送の複数の放送媒体から得られるチャンネルの中から有料チャンネルのみを集めてチャンネル群として構成させるようになっている。
【００４６】
本発明のデジタル放送受信機の選局方法は、デジタル放送の複数の放送媒体から得られる有料チャンネルの中から契約チャンネルのみを集めてチャンネル群として構成させるようになっている。
【００４７】
本発明のデジタル放送受信機の選局方法は、デジタル放送の複数の放送媒体から得られるチャンネルの中から同一の放送事業者及びその系列事業者から提供されるチャンネルのみを集めて構成したチャンネル群が、リモコン１００のリモコンキーの順番で切り替えられるようになっている。
【００４８】
図２は、本発明に係る一実施形態のデジタル放送受信装置のＲＡＭを示す構成図である。
次に、デジタル放送受信機１０のＲＡＭ４１の構成要素について、ＲＡＭ４１の内部を表している図２を用いて詳細に説明する。
前述したように、ＲＡＭ４１には、ソフトウェアが展開・実行される領域であるプログラム実行領域７０を有している。
【００４９】
また、ＲＡＭ４１には、本発明の選局情報管理手段を実現する選局情報管理データベース６０、ラストチャンネル情報記録領域６１、現在カテゴリ情報記録領域６２が配置されている。
【００５０】
図４は、本発明に係る一実施形態のデジタル放送受信装置の選局情報管理手段を実現する選局情報管理データベースを示す構成図である。
選局情報管理データベース６０は、選局情報としてネットワーク識別子（Ｎｅｔｗｏｒｋ  ＩＤ），オリジナルネットワーク識別子（Ｏｒｉｇｉｎａｌ  Ｎｅｔｗｏｒｋ  ＩＤ），サービス識別子（Ｓｅｒｖｉｃｅ  ＩＤ），放送事業者識別子（Ｂｒｏａｄｃａｓｔｅｒ  ＩＤ），周波数（Ｆｒｅｑｕｅｎｃｙ）等をチャンネル群となる地上波デジタル，ＢＳ，ＣＳ１，ＣＳ２等の放送識別子（ｂｒｏａｄｃａｓｔｉｎｇ＿ｉｄｅｎｔｉｆｉｅｒ）毎に分類・管理している。
【００５１】
なお、選局情報管理データベース６０の構成・更新手順については、後ほど図５のフローチャートを用いて詳細に述べる。
【００５２】
ＲＡＭ４１のラストチャンネル情報記録領域６１は、チャンネル群毎に、ユーザが最後に視聴したチャンネル（今まで視聴したことのないチャンネル群を選択した場合であれば、初期設定されているもの）のラストチャンネル情報を記録する領域である。
【００５３】
ＲＡＭ４１の現在カテゴリ情報記録領域６２には、現在ユーザが視聴しているチャンネル群の放送識別子，ネットワーク識別子，現在視聴チャンネル等の現在カテゴリ情報が記録されている。
【００５４】
ＲＡＭ４１のラストチャンネル情報記録領域６１、現在カテゴリ情報記録領域６２については、図６で示す放送サービス切り替え・選局の手順の中で詳細を述べる。
【００５５】
図３は、本発明に係る一実施形態のデジタル放送受信装置のリモコンを示す構成図である。
図３は、デジタル放送受信機１０をユーザが制御するために用いるリモコン１００の外観を示している。
従来のリモコンと異なり、本発明では、リモコン１００に、図３に示すように、チャンネルを切り替える上下のチャンネルアップ（＋）ボタン１０１，チャンネルダウン（−）ボタン１０２に直交するようにチャンネル群を切り替える左右の先送りカテゴリ（＋）ボタン１０３と前戻りカテゴリ（−）ボタン１０４が配置されている。
リモコン１００の先送りカテゴリボタン１０３，前戻りカテゴリボタン１０４を指で押すことで、チャンネル群を先送り又は前送りして順次切り替えることができる。
【００５６】
なお、本実施形態では、チャンネル群の構成として放送サービスをカテゴリとした場合について主に記述し、放送サービス切り替え、及び、それに続く選局の手順については、後ほど図６のフローチャートを用いて詳細に述べる。
【００５７】
図５は、本発明に係る一実施形態のデジタル放送受信装置における選局情報管理手段の更新方法を説明するフローチャートである。
次に、図５に示すフローチャートを用いて、デジタル放送受信機１０のＲＡＭ４１の選局情報管理データベース６０の構成・更新手順を説明する。
ここでは、ユーザ要求により、チャンネルを視聴するための選局が行われてＴＳが取得された時の手順について示す。
地上波デジタル放送の場合には、受信チャンネル設定時やＥＰＧ（Ｅｌｅｃｔｒｏｎｉｃ  Ｐｒｏｇｒａｍ  Ｇｕｉｄｅ）等で使用する番組情報を更新する際に、幾つかのＴＳを取得する手順をとる場合等があるが、この場合についても同様の手順で更新を行うことができる。
【００５８】
最初に、ユーザの選局したいチャンネルの選局情報を抜き出すために、ステップＳ２００では、デジタル放送受信機１０のＲＡＭ４１の選局情報管理データベース６０にあらかじめ記録されている選局情報を読み出す。
デジタル放送受信機１０の初期起動時には、ＲＯＭ４３等にあらかじめ準備されている選局情報が読み出される。
そうでなければ、ＲＯＭ４３等に記録されている前回選局時の情報が読み出される。
【００５９】
次に、ステップＳ２０１では、ステップＳ２００で取得された選局情報である周波数等を利用して、ＢＳ／ＣＳ１１０チューナー２１あるいは地上波チューナー３１をＭＰＵ４４で制御し同調させてＴＳを得る。
【００６０】
ステップＳ２０２では、ＴＳ取得が成功したか、失敗したを判断する。
ＴＳ取得が成功した場合（ステップＳ２０２“Ｙ”）、次のステップＳ２０３に移る。
また、ＴＳ取得が失敗した場合（ステップＳ２０２“Ｎ”）、デジタル放送受信機１０のＲＡＭ４１の選局情報管理データベース６０を更新せずに手順を終了する。
【００６１】
ステップＳ２０３では、セクションデータを取得するために、取得すべきセクション毎にデジタル放送受信機１０のデマルチプレクサ２４のＰＩＤ（Ｐａｃｋｅｔ  ＩＤ；パケット識別子）設定を行う。
【００６２】
ステップＳ２０４では、ＮＩＴが取得できか、取得できなかったかを判断する。
ＰＩＤ設定後、ＮＩＴが取得できた場合（ステップＳ２０４“Ｙ”）、ステップＳ２０５に進む。
また、ＮＩＴの取得に失敗した場合（ステップＳ２０４“Ｎ”）、デジタル放送受信機１０のＲＡＭ４１の選局情報管理データベース６０を更新せずに手順を終了する。
【００６３】
ステップＳ２０５では、取得したＮＩＴ中に記載されている、ネットワーク識別子（Ｎｅｔｗｏｒｋ  ＩＤ），オリジナルネットワーク識別子（Ｏｒｉｇｉｎａｌ  Ｎｅｔｗｏｒｋ  ＩＤ），サービス識別子（Ｓｅｒｖｉｃｅ  ＩＤ），システム管理記述子（Ｓｙｓｔｅｍ  Ｍａｎａｇｅｍｅｎｔ  Ｄｅｓｃｒｉｐｔｏｒ），分配システム記述子等の情報の妥当性を解析する。
【００６４】
その中で、ステップＳ２０６では、システム管理記述子（Ｓｙｓｔｅｍ  Ｍａｎａｇｅｍｅｎｔ  Ｄｅｓｃｒｉｐｔｏｒ）の放送識別子（ｂｒｏａｄｃａｓｔｉｎｇ  ｉｄｅｎｔｉｆｉｅｒ）を取得する。
【００６５】
ステップＳ２０７では、取得したシステム管理記述子の放送識別子の値が地上波に該当するものであるかを判断する。
取得したシステム管理記述子の放送識別子の値が地上波に該当するものであれば（ステップＳ２０７“Ｙ”）、地上波デジタルに属する情報として、ステップＳ２０３で取得した情報をデジタル放送受信機１０のＲＡＭ４１に格納する（ステップＳ２０８）。
また、取得したシステム管理記述子の放送識別子の値が地上波に該当するものでなければ（ステップＳ２０７“Ｎ”）、ステップＳ２０９に移行する。
【００６６】
ステップＳ２０９では、取得したシステム管理記述子の放送識別子の値がＢＳに該当するものであるかを判断する。
取得したシステム管理記述子の放送識別子の値がＢＳに該当するものであれば（ステップＳ２０９“Ｙ”）、ＢＳに属する情報として、ステップＳ２０３で取得した情報をデジタル放送受信機１０のＲＡＭ４１に保存する（ステップＳ２１０）。
また、取得したシステム管理記述子の放送識別子の値がＢＳに該当するものでなければ（ステップＳ２０９“Ｎ”）、ステップＳ２１１に移行する。
【００６７】
ステップＳ２１１では、取得したシステム管理記述子の放送識別子の値がＣＳ１１０に該当するものであるかを判断する。
取得したシステム管理記述子の放送識別子の値がＣＳ１１０に該当するものであれば（ステップＳ２１１“Ｙ”）、次のステップＳ２１２に移行する。
また、取得したシステム管理記述子の放送識別子の値がＣＳ１１０に該当するものでなければ（ステップＳ２１１“Ｎ”）、デジタル放送受信機１０のＲＡＭ４１の選局情報管理データベース６０を更新せずに手順を終了する。
【００６８】
ステップＳ２１２では、ネットワーク識別子の値がＣＳ１に該当するものであるかを判断する。
ネットワーク識別子の値がＣＳ１に該当するものであれば（ステップＳ２１２“Ｙ”）、ＣＳに属するものであれば、ＣＳ１に属する情報として、ステップＳ２０３で取得した情報をデジタル放送受信機１０のＲＡＭ４１に保存する（ステップＳ２１３）。
また、ネットワーク識別子の値がＣＳ１に該当するものでなければ（ステップＳ２１２“Ｎ”）、ＣＳ２に属する情報として、ステップＳ２０３で取得した情報をデジタル放送受信機１０のＲＡＭ４１に保存する（ステップＳ２１４）。
【００６９】
以上、ステップＳ２０１乃至ステップＳ２１４をもって、選局指定されたＴＳに関するデジタル放送受信機１０のＲＡＭ４１の選局情報管理データベース６０の更新を完了する。
【００７０】
また、ステップＳ２０３以降を、ＢＩＴ（Ｂｒｏａｄｃａｓｔｅｒ  Ｉｎｆｏｒｍａｔｉｏｎ  Ｔａｂｌｅ）に含まれる放送事業者識別子（ｂｒｏａｄｃａｓｔｅｒ＿ｉｄ）や地上波デジタルテレビジョン放送事業者識別子（ｔｅｒｒｅｓｔｒｉａｌ＿ｂｒｏａｄｃａｓｔｅｒ＿ｉｄ），系列識別子（ａｆｆｉｌｉａｔｉｏｎ＿ｉｄ）等で分類することで、放送事業者及びその系列事業者毎にカテゴリ分けをして保存するという手順に置き換えることもできる。
【００７１】
図９は、本発明に係る一実施形態のデジタル放送受信装置におけるチャンネル群の構成の分類方法の変更メニューの画面表示例を示す説明図である。
さらに、例えば、デジタル放送受信機１０のモニタ４７の表示画面４７ａ上の「カテゴリボタン設定」画面４７ｂに、ユーザが選択・指定可能な幾種類か存在するチャンネル群の構成の分類方法として「放送サービスによる分類」，「放送局による分類」，「現在番組のジャンルによる分類」等の変更メニューを表示させ、変更メニューによって、選択・指定可能なカテゴリ分類方法をユーザに通知し、ユーザが選択・指定したカテゴリ分けにすることも可能である。
【００７２】
ところで、同一ＴＳを受信中の場合であっても、ＮＩＴが更新されるたびにステップＳ２０５乃至ステップＳ２１４は行われ、デジタル放送受信機１０のＲＡＭ４１の選局情報管理データベース６０の更新が行われる。
【００７３】
さらに、受信ＴＳが切り替わった場合には、ステップＳ２０１乃至ステップＳ２１４が行われる。
例えば、前記地上波デジタル放送の受信チャンネル設定時やＥＰＧ等で使用する番組情報を更新時に複数のＴＳを取得する場合には、取得したＴＳ毎にステップＳ２０１乃至ステップＳ２１４が行われて、デジタル放送受信機１０のＲＡＭ４１の選局情報管理データベース６０の更新が行われる。
【００７４】
図６は、本発明に係る一実施形態のデジタル受信装置における放送サービス切り替え・選局方法を説明するフローチャートである。
次に、このようにして取得した選局情報管理データベース６０を使って、実際に放送サービス切り替え・選局する方法を図６に示すフローチャートを用いて説明する。
まず、リモコン１００の前戻りカテゴリボタン１０４がユーザによって押されると（ステップＳ３００）、デジタル放送受信機１０のＲＡＭ４１内の現在カテゴリ情報記録領域６２から現在のカテゴリ識別情報である放送識別子，ネットワーク識別子を取得する（ステップＳ３０１）。
【００７５】
次に、ステップＳ３０１で取得した現在のカテゴリ識別情報を見て、前カテゴリを識別し、デジタル放送受信機１０のＲＡＭ４１内のラストチャンネル情報記録領域６１から前カテゴリを構成するチャンネル群の中で最後に視聴していたチャンネルのサービス識別子（Ｓｅｒｖｉｃｅ  ＩＤ），周波数（Ｆｒｅｑｕｅｎｃｙ）等の選局情報を取得する（ステップＳ３０２）。
【００７６】
以上のステップＳ３００乃至ステップＳ３０２の手順により、前カテゴリに関するチャンネルを選局するために必要な情報が集まる。
次いで、ステップＳ３０３では、デジタル放送受信機１０のＢＳ／ＣＳ１１０チューナー２１，衛星復調器２２、あるいは地上波チューナー３１，地上復調器３２をＭＰＵ４４で制御して同調処理を行い、ＴＳを取得する。
【００７７】
次いで、ステップＳ３０４では、デジタル放送受信機１０のデマルチプレクサ２４を設定することにより、ステップＳ３０３で取得したＴＳからＰＡＴ（Ｐｒｏｇｒａｍ  Ａｓｓｏｃｉａｔｉｏｎ  Ｔａｂｌｅ）／ＰＭＴ（ＰｒｏｇｒａｍＭａｐ  Ｔａｂｌｅ）を取得して映像／音声ＥＳ（Ｅｌｅｍｅｎｔａｒｙ  Ｓｔｒｅａｍ）のＰＩＤ情報を取得する。
【００７８】
次いで、ステップＳ３０５では、映像／音声ＥＳをデジタル放送受信機１０のＡＶデコーダ２５に設定し、デジタル放送受信機１０のモニタ４７に映像／音声が出力されて選局が完了する。
【００７９】
以上、ステップＳ３００乃至ステップＳ３０５をもって、放送サービス切り替え及びその後に続く選局の処理が終了する。
【００８０】
リモコン１００の先送りカテゴリボタン１０３を押した場合に関しても、以上の手順と同様に行える。
【００８１】
なお、この例では、放送識別子を使ってチャンネル群を切り替える方法について説明したが、ＢＩＴに含まれる放送事業者識別子（Ｂｒｏａｄｃａｓｔｅｒ  ＩＤ）や地上波デジタルテレビジョン放送事業者識別子（Ｔｅｒｒｅｓｔｒｉａｌ  Ｂｒｏａｄｃａｓｔｅｒ＿ＩＤ），系列識別子（Ａｆｆｉｌｉａｔｉｏｎ  ＩＤ）等及びデジタル放送受信機１０にあらかじめ持たせてあるＢＳ／ＣＳ／地上波間での各種識別子の相関表を使って事業者毎にチャンネル群を構成させ、チャンネル群を切り替える方法に置き換えることもできる。
【００８２】
地上波の場合には、リモコンキーＩＤと呼ばれる放送事業者に対応してリモコンキーを指定させることが可能であるため、この順番でチャンネル群を切り替えることも可能である。
【００８３】
また、同様にして、現在放送中の番組の中からＥＩＴ（Ｅｖｅｎｔ  Ｉｎｆｏｒｍａｔｉｏｎ  Ｔａｂｌｅ）を参照し、同一の番組ジャンル毎に前記チャンネル群を構成させることもできる。
現在番組のＥＩＴ（ＥＩＴ  ｐ／ｆ）は、地上波デジタル放送などで、デジタル放送受信機１０中に保存していない場合も考えられるが、その場合はあらかじめ取得しておいたＥＩＴ（ｓｃｈｅｄｕｌｅ）から現在番組の情報を参照することで対応できる。
【００８４】
さらに、同様にして、あらかじめ取得しておいたＰＭＴの限定受信記述子から有料チャンネルかどうか判断しておくことで、有料チャンネルから前記チャンネル群を構成させることが可能である。
【００８５】
デジタル放送受信機１０のＩＣカードの登録情報を参照することで、さらに契約チャンネルのみからチャンネル群を構成させることが可能である。
【００８６】
図１０は、本発明に係る一実施形態のデジタル放送受信装置におけるチャンネル群の構成の分類方法の変更時の画面表示例を示す説明図である。
これまで述べたように、チャンネル群の分類／切り替え方法を何種類かの中から選択することが可能である。
そこで、図１０に示すように、リモコン１００の「前戻りカテゴリボタン１０４／先送りカテゴリボタン１０３」を使ってチャンネル群を切り替えた選局を行った時には、どんなカテゴリでチャンネル群を切り替えているかをデジタル放送受信機１０のモニタ４７の表示画面４７ａ上に表示させ、ユーザへの確認通知をすることも可能である。
【００８７】
図７は、本発明に係る一実施形態のデジタル受信装置における放送サービス切り替え・選局状態の遷移を示す説明図である。
以上、この実施形態では、図７で示すように、チャンネル群を放送サービスや放送事業者毎のチャンネルとしてリモコン１００の「前戻りカテゴリボタン１０４／先送りカテゴリボタン１０３」を使って前後に順次切り替えていった後、通常のチャンネル切り替え方法であるリモコン１００の「チャンネルアップボタン１０１／チャンネルダウンボタン１０２」を使ってアップダウンに順次切り替えて所望のチャンネルを選局することができるものである。
【００８８】
また、地上波デジタル／ＢＳ／ＣＳ１１０放送の受信機能を有するデジタル放送受信機の場合を例に取り説明しているが、ＳＩに準じた選局情報が送出される放送サービスであれば、その他の放送についても適用することが可能である。
【００８９】
さらに、受信機能部が着脱可能なデジタル放送受信機の場合であっても（例えば、既存のＢＳ／ＣＳ１１０受信機に地上波デジタル受信部が着脱される場合等）、本発明の選局手順・選局情報管理手段は適用可能である。
【００９０】
本発明により以下の効果がもたらされる。
リモコンのリモコンボタンは、視聴できる放送サービス数の増減に依存せずに２つだけ設置すれば良く、例えば、地上波デジタル放送サービスとその他の放送サービスとの切り替えがスムーズにできる。
【００９１】
また、一つ前に視聴していた放送サービスのチャンネルは、ボタン一回の入力で再視聴することができる。
【００９２】
さらに、放送サービス切り替えという概念は、従来、ユーザにとってわかりにくい概念であったが、既に普及しているリモコンの「チャンネルアップ／ダウンボタン」に、前記放送切り替えボタンを隣接配置することで、「放送サービス」毎にチャンネルが複数存在してアップダウンで選局できること、デジタル受信機で受信できる「放送サービス」が複数存在していること、の２つのことを分かり易くユーザに伝えることができる。
また、ユーザに「放送サービス」以外のカテゴリ分類でチャンネル群を切り替え可能なチャンネル群切り替え手段を提供することで、所望のチャンネルへの選局手順を減らすこともできる。
【００９３】
【発明の効果】
本発明によれば、複数の放送局からデジタル放送の複数の放送媒体を介して送信される選局情報を基にして、選局可能なチャンネルを集めて幾つかのチャンネル群に分けて分割し、分割した幾つかのチャンネル群の切り替えを行った後、遠隔操作手段の通常のチャンネル切り替え操作により、チャンネル群の中から所望のチャンネルを時間をかけることなく選局することができ、幾つかのチャンネル群に分割した選局情報を分類・管理することができ、従来のように所望の放送サービスボタンを遠隔操作手段に多く準備したり、あるいはユーザが一つ前に視聴していた放送媒体を選択するのに何度も遠隔操作手段のトグル切り替えボタンを押したりする必要もなく、遠隔操作手段に準備すべきボタンを少なく保ったままで、ユーザの入力回数をできるだけ少なくして、所望の放送チャンネルに確実に切り替えることが可能なデジタル放送受信機の選局方法及びデジタル放送受信装置を得ることができる。
【図面の簡単な説明】
【図１】本発明に係る一実施形態のデジタル放送受信装置の構成を示すブロック図。
【図２】本発明に係る一実施形態のデジタル放送受信装置のＲＡＭを示す構成図。
【図３】本発明に係る一実施形態のデジタル放送受信装置のリモコンを示す構成図。
【図４】本発明に係る一実施形態のデジタル放送受信装置の選局情報管理手段を実現する選局情報管理データベースを示す構成図。
【図５】本発明に係る一実施形態のデジタル放送受信装置における選局情報管理手段の更新方法を説明するフローチャート。
【図６】本発明に係る一実施形態のデジタル受信装置における放送サービス切り替え・選局方法を説明するフローチャート。
【図７】本発明に係る一実施形態のデジタル受信装置における放送サービス切り替え・選局状態の遷移を示す説明図。
【図８】従来のデジタル放送受信機における放送サービス切り替え状態の遷移を示す説明図。
【図９】本発明に係る一実施形態のデジタル放送受信装置におけるチャンネル群の構成の分類方法の変更メニューの画面表示例を示す説明図。
【図１０】本発明に係る一実施形態のデジタル放送受信装置におけるチャンネル群の構成の分類方法の変更時の画面表示例を示す説明図。
【符号の説明】
１０  デジタル放送受信機
２０  ＢＳ／ＣＳ１１０アンテナ
２１  ＢＳ／ＣＳ１１０チューナー
２２  衛星復調器
２３  デスクランブラ
２４  デマルチプレクサ
２５  ＡＶデコーダ
３０  地上波アンテナ
３１  地上波チューナー
３２  地上復調器
４１  ＲＡＭ
４２  フラッシュメモリ
４３  ＲＯＭ
４４  ＭＰＵ
４５  グラフィック描画・表示処理部
４６  加算器
４７  モニタ（表示手段）
４７ａ  表示画面
４７ｂ  「カテゴリボタン設定」画面
４８  リモコン受光部
６０  選局情報管理データベース（選局情報管理手段）
６１  ラストチャンネル情報記録領域
６２  現在カテゴリ情報記録領域
７０  プログラム実行領域
１００  リモコン（遠隔操作手段）
１０１  チャンネルアップボタン（チャンネル切り替えボタン）
１０２  チャンネルダウンボタン（チャンネル切り替えボタン）
１０３  先送りカテゴリボタン（チャンネル群切り替えボタン）
１０４  前戻りカテゴリボタン（チャンネル群切り替えボタン）
【図１】
2004297355.tif 000003
【図２】
2004297355.tif 000004
【図３】
2004297355.tif 000005
【図４】
2004297355.tif 000006
【図５】
2004297355.tif 000007
【図６】
2004297355.tif 000008
【図７】
2004297355.tif 000009
【図８】
2004297355.tif 000010
【図９】
2004297355.tif 000011
【図１０】
2004297355.tif 000012